【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
無線ネットワーク通信システムであって、
ホストコンピュータと、
地理的ドライブを有するモバイル通信機器と、
を含み、
前記地理的ドライブが、無線ネットワーク接続を介して、前記ホストコンピュータに接続される、無線ネットワーク通信システム。
【請求項２】
前記ホストコンピュータが、コンテンツ・リダイレクション装置を有する、請求項１記載の無線ネットワーク通信システム。
【請求項３】
更に、遅延ダウンロード領域を含み、
前記モバイル通信機器が前記ホストコンピュータにファイルを要求した後、該ファイルが前記遅延ダウンロード領域に転送される、請求項１記載の無線ネットワーク通信システム。
【請求項４】
前記遅延ダウンロード領域がキャッシュメモリから成る、請求項３記載の無線ネットワーク通信システム。
【請求項５】
更に、プロキシ受信装置を含み、
該プロキシ受信装置が、前記モバイル通信機器上の前記コンテンツ・リダイレクション装置からプロキシ・エージェントを受信する、請求項３記載の無線ネットワーク通信システム。
【請求項６】
無線ネットワーク通信システムであって、
ホストコンピュータと、
地理的ドライブを有するモバイル通信機器と、
接続ポイントと、
を含み、
ファイルが、前記ホストコンピュータから前記地理的ドライブに転送されるか、或いは、前記地理的ドライブから前記ホストコンピュータに転送される場合、該ファイルが前記接続ポイントを介して転送される、無線ネットワーク通信システム。
【請求項７】
前記接続ポイントが所定の接続ポイントから成る、請求項６記載の無線ネットワーク通信システム。
【請求項８】
前記接続ポイントが、動的に設定された接続ポイントから成る、請求項６記載の無線ネットワーク通信システム。
【請求項９】
前記地理的ドライブが、動的にサイズが変更されるドライブから成る、請求項６記載の無線ネットワーク通信システム。
【請求項１０】
前記地理的ドライブがバーチャル・ドライブから成る、請求項６記載の無線ネットワーク通信システム。
【請求項１１】
無線ネットワーク通信方法であって、
無線通信ネットワークを提供するステップと、
地理的ドライブを含むモバイル通信機器を前記ネットワーク上のホストコンピュータに接続するステップと、
ファイルを、前記地理的ドライブから前記ホストコンピュータに、或いは、前記ホストコンピュータから前記地理的ドライブに転送するステップと、を含む無線ネットワーク通信方法。
【請求項１２】
ファイルを、前記地理的ドライブから前記ホストコンピュータに、或いは、前記ホストコンピュータから前記地理的ドライブに転送する前記ステップの前に、前記ホストコンピュータ上のファイルが、前記モバイル通信機器を介して、前記地理的ドライブに転送されることを要求するステップが先行する、請求項１１記載の無線ネットワーク通信方法。
【請求項１３】
ファイルを、前記地理的ドライブから前記ホストコンピュータに、或いは、前記ホストコンピュータから前記地理的ドライブに転送する前記ステップが、ファイルを前記ホストコンピュータから接続ポイントを介して前記地理的ドライブに転送するステップを含む、請求項１２記載の無線ネットワーク通信方法。
【請求項１４】
前記ファイルを遅延ダウンロード領域に転送するステップを更に含む、請求項１３記載の無線ネットワーク通信方法。
【請求項１５】
前記モバイル通信機器上のコンテンツ・リダイレクション装置から前記ホストコンピュータにプロキシ・エージェントを送るステップを更に含む、請求項１３記載の無線ネットワーク通信方法。
【請求項１６】
ファイルを、前記地理的ドライブから前記ホストコンピュータに、或いは、前記ホストコンピュータから前記地理的ドライブに転送する前記ステップが、ファイルを前記地理的ドライブから接続ポイントを介して前記ホストコンピュータに転送するステップを含む、請求項１１記載の無線ネットワーク通信方法。
【請求項１７】
前記接続ポイントが所定の接続ポイントから成る、請求項１６記載の無線ネットワーク通信方法。
【請求項１８】
前記接続ポイントが、動的に設定される接続ポイントから成る、請求項１６記載の無線ネットワーク通信方法。 
【手続補正２】
【補正対象書類名】明細書
【補正対象項目名】発明の名称
【補正方法】変更
【補正の内容】
【発明の名称】無線ネットワーク通信システムおよび無線ネットワーク通信方法
【手続補正３】
【補正対象書類名】明細書
【補正対象項目名】０００９
【補正方法】変更
【補正の内容】
【０００９】
本発明の更なる利点および新規な特徴は、その一部を以下の説明と図面を用いて詳細に述べるが、その他は、以下の説明から当業者にとって明らかであり、また、本発明を実施することにより理解できるものである。
特許請求の範囲と実施例との対応関係を実施例で使われている参照符号を用いて示すと以下の通りである。
（請求項１）
無線ネットワーク通信システムであって、
ホストコンピュータ（２０、６０）と、
地理的ドライブ（１１、５１）を有するモバイル通信機器（１０、５０）と、
を含み、
前記地理的ドライブ（１１、５１）が、無線ネットワーク接続（ａ、ｂ）を介して、前記ホストコンピュータ（２０、６０）に接続される、無線ネットワーク通信システム。
（請求項２）
前記ホストコンピュータ（２０）が、コンテンツ・リダイレクション装置（２１）を有する、請求項１記載の無線ネットワーク通信システム。
（請求項３） 
更に、遅延ダウンロード領域（２２）を含み、
前記モバイル通信機器が前記ホストコンピュータ（２０）にファイルを要求した後、該ファイルが前記遅延ダウンロード領域（２２）に転送される、請求項１記載の無線ネットワーク通信システム。
（請求項４）
前記遅延ダウンロード領域（２２）がキャッシュメモリから成る、請求項３記載の無線ネットワーク通信システム。
（請求項５）
更に、プロキシ受信装置を含み、
該プロキシ受信装置が、前記モバイル通信機器上の前記コンテンツ・リダイレクション装置からプロキシ・エージェントを受信する、請求項３記載の無線ネットワーク通信システム。
（請求項６）
無線ネットワーク通信システムであって、
ホストコンピュータ（６０）と、
地理的ドライブ（５１）を有するモバイル通信機器（５０）と、
接続ポイントと、
を含み、
ファイルが、前記ホストコンピュータ（６０）から前記地理的ドライブ（５１）に転送されるか、或いは、前記地理的ドライブ（５１）から前記ホストコンピュータ（６０）に転送される場合、該ファイルが前記接続ポイントを介して転送される、無線ネットワーク通信システム。
（請求項７）
前記接続ポイントが所定の接続ポイントから成る、請求項６記載の無線ネットワーク通信システム。
（請求項８）
前記接続ポイントが、動的に設定された接続ポイントから成る、請求項６記載の無線ネットワーク通信システム。
（請求項９）
前記地理的ドライブが、動的にサイズが変更されるドライブから成る、請求項６記載の無線ネットワーク通信システム。
（請求項１０）
前記地理的ドライブがバーチャル・ドライブから成る、請求項６記載の無線ネットワーク通信システム。
（請求項１１） 
無線ネットワーク通信方法であって、
無線通信ネットワーク（１５、５５）を提供するステップと、
地理的ドライブ（１１、５１）を含むモバイル通信機器（１０、５０）を前記ネットワーク上のホストコンピュータ（２０、６０）に接続するステップと、
ファイルを、前記地理的ドライブ（１１、５１）から前記ホストコンピュータ（２０、６０）に、或いは、前記ホストコンピュータ（２０、６０）から前記地理的ドライブ（１１、５１）に転送するステップと、を含む無線ネットワーク通信方法。
（請求項１２）
ファイルを、前記地理的ドライブ（１１、５１）から前記ホストコンピュータ（２０、６０）に、或いは、前記ホストコンピュータ（２０、６０）から前記地理的ドライブ（１１、５１）に転送する前記ステップの前に、前記ホストコンピュータ（２０、６０）上のファイルが、前記モバイル通信機器を介して、前記地理的ドライブ（１１、５１）に転送されることを要求するステップが先行する、請求項１１記載の無線ネットワーク通信方法。
（請求項１３）
ファイルを、前記地理的ドライブ（１１、５１）から前記ホストコンピュータ（２０、６０）に、或いは、前記ホストコンピュータ（２０、６０）から前記地理的ドライブ（１１、５１）に転送する前記ステップが、ファイルを前記ホストコンピュータ（２０、６０）から接続ポイントを介して前記地理的ドライブ（１１、５１）に転送するステップを含む、請求項１２記載の無線ネットワーク通信方法。
（請求項１４） 
前記ファイルを遅延ダウンロード領域（２２）に転送するステップを更に含む、請求項１３記載の無線ネットワーク通信方法。
（請求項１５）
前記モバイル通信機器上のコンテンツ・リダイレクション装置（１２）から前記ホストコンピュータ（２０）にプロキシ・エージェントを送るステップを更に含む、請求項１３記載の無線ネットワーク通信方法。
（請求項１６）
ファイルを、前記地理的ドライブ（１１、５１）から前記ホストコンピュータ（２０、６０）に、或いは、前記ホストコンピュータ（２０、６０）から前記地理的ドライブ（１１、５１）に転送する前記ステップが、ファイルを前記地理的ドライブ（１１、５１）から接続ポイントを介して前記ホストコンピュータ（２０、６０）に転送するステップを含む、請求項１１記載の無線ネットワーク通信方法。
（請求項１７）
前記接続ポイントが所定の接続ポイントから成る、請求項１６記載の無線ネットワーク通信方法。
（請求項１８）
前記接続ポイントが、動的に設定される接続ポイントから成る、請求項１６記載の無線ネットワーク通信方法。